(57)【要約】【課題】ユニットケース内にＦＥＴ（インピーダンス変換器）が内蔵されているコンデンサマイクロホンユニットにおいて、ユニットケースの後面側の電磁シールドを確実なものにするとともに、音波の漏洩がなく、内蔵部品にほぼ一様で安定した内部応力を加えられるようにする。【解決手段】前端面側に前部音響端子孔２１を有し後端面側が開放されているユニットケース２内に、振動板３１と固定極３３とをスペーサ部材３５を介して対向的に配置してなる音響電気変換器３と、ＦＥＴ４とが収納されているとともに、ユニットケース２の後端面側の開口部２２に回路基板５が配置され、開口部２２の端縁２２１のかしめによって内蔵部品３，５がユニットケース２内に固定されているコンデンサマイクロホンユニット１Ａにおいて、音響電気変換器３の後面側と回路基板５との間に、外径がユニットケース２の内径にほぼ等しい弾力性を有する円盤状のゲル状フェライトシート８を挟み込む。【選択図】図２
2010288049.tif 000002
【特許請求の範囲】
【請求項１】
前端面側に前部音響端子孔を有し、後端面側が開放されているユニットケースを備え、上記ユニットケース内に、支持リングに張設された振動板と絶縁座の前面側に支持された固定極とをスペーサ部材を介して対向的に配置してなる音響電気変換器と、インピーダンス変換器とが収納されているとともに、上記ユニットケースの後端面側の開口部に回路基板が配置され、上記開口部の端縁のかしめによって上記音響電気変換器および上記回路基板を含む内蔵部品が上記ユニットケース内に固定されているコンデンサマイクロホンユニットにおいて、
上記絶縁座と上記回路基板との間に、外径が上記ユニットケースの内径にほぼ等しい弾力性を有するゲル状フェライトシートが挟み込まれていることを特徴とするコンデンサマイクロホンユニット。
【請求項２】
上記絶縁座内に上記インピーダンス変換器が配置され、上記インピーダンス変換器の所定の電極リードが上記ゲル状フェライトシートを貫通して上記回路基板に接続されていることを特徴とする請求項１に記載のコンデンサマイクロホンユニット。
【請求項３】
上記回路基板には高周波短絡用のコンデンサ素子が実装されていることを特徴とする請求項１または２に記載のコンデンサマイクロホンユニット。
【請求項４】
上記開口部の端縁のかしめに代えて、上記内蔵部品が上記ユニットケースに螺合されるロックリングにより上記ユニットケース内に固定されていることを特徴とする請求項１ないし３のいずれか１項に記載のコンデンサマイクロホンユニット。
【発明の詳細な説明】
【技術分野】
【０００１】
本発明は、コンデンサマイクロホンユニットに関し、さらに詳しく言えば、外来電磁波による雑音発生を防止する技術に関するものである。
【背景技術】
【０００２】
かしめ（カーリング）等で内蔵部品が固定されるコンデンサマイクロホンユニットにおいては、多くの場合、インピーダンス変換器を内蔵しており（例えば、特許文献１参照）、その従来例を図３，図４により説明する。図３はユニットケースをかしめる前の状態を示す断面図で、図４はユニットケースをかしめた状態を示す断面図である。
【０００３】
図３に示すように、この従来例に係るコンデンサマイクロホンユニット１は、有底円筒状のユニットケース２を備え、ユニットケース２内に音響電気変換器３が収納されている。
【０００４】
ユニットケース２は、アルミニウムなどの金属材のプレス成型品からなり、底部に相当する前端面側（収音時に音源側に向けられる面側）には、前部音響端子２１が設けられている。ユニットケース２の後端面側は開口部２２となっていて、開口部２２から音響電気変換器３が収納される。このコンデンサマイクロホンユニット１は、後部音響端子を備えていないことから無指向性である。
【０００５】
音響電気変換器３には、支持リング（ダイアフラムリング）３２に張設された振動板３１と、合成樹脂からなるシリンダ状の絶縁座３４の前面側（図３では下面側）に固定された固定極３３とが含まれ、振動板３１と固定極３３とがスペーサリング３５を介して対向的に配置されている。
【０００６】
ユニットケース２の後端面側は開口部２２には、回路基板５が配置され、開口部２２は回路基板５によって塞がれる。図示しないが、回路基板５には、後述するドレイン電極４２，ソース電極４３がハンダ付けされるハンダランドやグランド（アース）パターンが形成されており、それらに図示しないマイクケーブルの給電線，信号線やシールド編組線が接続される。
【０００７】
このコンデンサマイクロホンユニット１は、インピーダンス変換器としてのＦＥＴ４を備えるが、この例では、絶縁座３４に凹部３４１が形成され、この凹部３４１内にＦＥＴ４が収納されるようになっている。なお、ＦＥＴ４が回路基板５の内面側に実装される場合もある。
【０００８】
ＦＥＴ４のゲート電極４１は固定極３３と電気的に接続され、ドレイン電極４２，ソース電極４３は回路基板５の所定のハンダランドにハンダ付けされる。なお、図３，図４において、ドレイン電極４２，ソース電極４３は図面上重なった位置にあるため、そのうちの１本しか図示されていない。
【０００９】
このコンデンサマイクロホンユニット１は、まず、ユニットケース２内に音響電気変換器３を収納したのち、絶縁座３４の後面側（図３では上面側）にゴムリング６を配置し、その上に、ドレイン電極４２，ソース電極４３を挿通しながら回路基板５を配置する。
【００１０】
そして、図４に示すように、後面側の開口部２２の端縁２２１を内側に向けてカールさせながらかしめたのち、ドレイン電極４２，ソース電極４３を回路基板５にハンダ付けする。これにより、ゴムリング６が適度に圧縮され、音響電気変換器３および回路基板５を含む内蔵部品がユニットケース２内に固定される。
【００１１】
上記したように、コンデンサマイクロホンユニット１内には、ＦＥＴ４が内蔵されているため、このマイクロホン近傍で例えば携帯電話機が使用されると、同携帯電話機から放射されるかなり強力な電磁波による高周波信号がＦＥＴ４によって検波され、可聴周波数の雑音が発生することがある。
【００１２】
これを防止するため、この従来例ではＥＭＩ対策用のシーラント材７にてＦＥＴ４を封止するようにしている。
【００１３】
しかしながら、回路基板５に接続される上記マイクケーブルに携帯電話機等から放射される電磁波が浴びせられると、それに起因する高周波電流がマイクケーブルを伝わってユニットケース２内に入り込み、ＦＥＴ４によって検波されることがあるため、依然として可聴周波数の雑音発生の問題は解決されない。
【００１４】
これとは別の問題として、ユニットケース２の後面側開口部２２は、ゴムリング６の圧縮によって封止されるが、ゴムリング６の内側には空間が存在し、また、ゴムリング６の外周面とユニットケース２の内周面との間の気密性が十分でない場合が起こり得るため、前部音響端子２１から入る音波の一部が漏洩してしまうことがある。
【００１５】
また、ゴムリング６では、内蔵部品に対する当接部分が一部分であるため、特に音響電気変換器３に対して一様に安定した内部応力を加えることができない場合が生ずる。
【先行技術文献】
【特許文献】
【００１６】
【特許文献１】特開２００６−２８７３２６号公報（図１参照）
【発明の概要】
【発明が解決しようとする課題】
【００１７】
したがって、本発明の課題は、ユニットケース内にＦＥＴ（インピーダンス変換器）が内蔵されているコンデンサマイクロホンユニットにおいて、ユニットケースの後面側の電磁シールドを確実なものにするとともに、音波の漏洩がなく、内蔵部品にほぼ一様で安定した内部応力を加えられるようにすることにある。
【課題を解決するための手段】
【００１８】
上述課題を解決するため、本発明は、前端面側に前部音響端子孔を有し、後端面側が開放されているユニットケースを備え、上記ユニットケース内に、支持リングに張設された振動板と絶縁座の前面側に支持された固定極とをスペーサ部材を介して対向的に配置してなる音響電気変換器と、インピーダンス変換器とが収納されているとともに、上記ユニットケースの後端面側の開口部に回路基板が配置され、上記開口部の端縁のかしめによって上記音響電気変換器および上記回路基板を含む内蔵部品が上記ユニットケース内に固定されているコンデンサマイクロホンユニットにおいて、上記絶縁座と上記回路基板との間に、外径が上記ユニットケースの内径にほぼ等しい弾力性を有するゲル状フェライトシートが挟み込まれていることを特徴としている。
【００１９】
本発明の好ましい態様によれば、上記絶縁座内に上記インピーダンス変換器が配置され、上記インピーダンス変換器の所定の電極リードが上記ゲル状フェライトシートを貫通して上記回路基板に接続される。
【００２０】
また、上記回路基板には高周波短絡用のコンデンサ素子が実装されていることが好ましい。
【００２１】
本発明には、上記開口部の端縁のかしめに代えて、上記内蔵部品が上記ユニットケースに螺合されるロックリングにより上記ユニットケース内に固定される態様も含まれる。
【発明の効果】
【００２２】
本発明によれば、音響電気変換器の絶縁座と回路基板との間に、外径がユニットケースの内径にほぼ等しい弾力性を有するゲル状フェライトシートを挟み込むようにしたことにより、ゲル状フェライトシートがもつ磁性（インダクタンス）にて外来電磁波等に起因する高周波電流の侵入を阻止することができる。
【００２３】
また、ゲル状フェライトシートは弾力性があるため、かしめ等による固定時に内蔵部品にほぼ一様で安定した内部応力を加えることができる。また、ゲル状フェライトシートは圧縮すると径方向に広がるため、ユニットケースの後面側の開口部が気密的に封止され、音波の漏洩も防止できる。
【図面の簡単な説明】
【００２４】
【図１】本発明の実施形態に係るコンデンサマイクロホンユニットのかしめ前の状態を示す模式的な断面図。
【図２】上記実施形態に係るコンデンサマイクロホンユニットのかしめ後の状態を示す模式的な断面図。
【図３】従来例に係るコンデンサマイクロホンユニットのかしめ前の状態を示す模式的な断面図。
【図４】上記従来例に係るコンデンサマイクロホンユニットのかしめ後の状態を示す模式的な断面図。
【発明を実施するための形態】
【００２５】
次に、図１および図２により、本発明の実施形態について説明するが、本発明はこの限りではない。また、先の図３，図４で説明した従来例と同一もしくは同一と見なされる構成要素には同じ参照符号を付している。
【００２６】
図１を参照して、この実施形態に係るコンデンサマイクロホンユニット１Ａも、上記従来例と同じく、有底円筒状のユニットケース２を備え、ユニットケース２内に音響電気変換器３が収納される。
【００２７】
ユニットケース２は、アルミニウムなどの金属材のプレス成型品からなり、底部に相当する前端面側（収音時に音源側に向けられる面側）には、前部音響端子２１が設けられている。ユニットケース２の後端面側は開口部２２となっていて、開口部２２から音響電気変換器３が収納される。このコンデンサマイクロホンユニット１Ａも、後部音響端子を備えていないことから無指向性である。
【００２８】
音響電気変換器３には、支持リング（ダイアフラムリング）３２に張設された振動板３１と、合成樹脂からなるシリンダ状の絶縁座３４の前面側（図３では下面側）に固定された固定極３３とが含まれ、振動板３１と固定極３３とがスペーサリング３５を介して対向的に配置されている。
【００２９】
この実施形態においては、絶縁座３４の後面側に凹部３４１が形成され、この凹部３４１内に、音響電気変換器３のためのインピーダンス変換器であるＦＥＴ（電界効果トランジスタ）４が収納される。なお、絶縁座３４の後面側に凹部３４１を形成することなく、ＦＥＴ４を絶縁座３４の後面上に直に配置してもよい。
【００３０】
ＦＥＴ４は、ゲート電極４１，ドレイン電極４２およびソース電極４３を備えるが、このうちのゲート電極４１は固定極３３と電気的に接続される。なお、図１，図２においても、ドレイン電極４２，ソース電極４３は図面上重なった位置にあるため、そのうちの１本しか図示されていない。
【００３１】
ユニットケース２の後端面側は開口部２２には、回路基板５が配置され、開口部２２は回路基板５によって塞がれる。図示しないが、回路基板５には、ドレイン電極４２，ソース電極４３がハンダ付けされるハンダランドやグランド（アース）パターンが形成されており、それらに図示しないマイクケーブルが接続される。
【００３２】
上記マイクケーブルには２芯シールド被覆線用いられ、その給電線がドレイン電極４２用のハンダランドにハンダ付けされ、信号線はソース電極４３用のハンダランドにハンダ付けされ、シールド被覆線（編組線）はグランドパターンにハンダ付けされる。
【００３３】
本発明によると、絶縁座３４の後面側と回路基板５との間に、弾性シール部材と電磁シールド部材とを兼ねる弾性を有するゲル状フェライトシート８が配置される。このゲル状フェライトシート８には、ＦＤＫ社製のゲル状フェライトシートＧＥシリーズ（商品名）を例示することができる。
【００３４】
ゲル状フェライトシート８は、その外径がユニットケース２の内径とほぼ等しい円盤状に形成され、また、ドレイン電極４２とソース電極４３を通すための挿通孔８１が穿設された態様で、ユニットケース２内に配置される。なお、挿通孔８１は、ドレイン電極４２とソース電極４３とに個々に設けられることが好ましいが、各電極に共通の長孔としてもよい。
【００３５】
このコンデンサマイクロホンユニット１Ａは、まず、ユニットケース２内に音響電気変換器３を収納したのち、絶縁座３４の後面側（図１では上面側）にゲル状フェライトシート８を配置し、その上に、ドレイン電極４２，ソース電極４３を挿通しながら回路基板５を配置する。
【００３６】
そして、図２に示すように、後面側の開口部２２の端縁２２１を内側に向けてカールさせながらかしめたのち、ドレイン電極４２，ソース電極４３を回路基板５にハンダ付けする。これにより、ゲル状フェライトシート８が適度に圧縮され、音響電気変換器３および回路基板５を含む内蔵部品がユニットケース２内に固定される。
【００３７】
ゲル状フェライトシート８が圧縮されるに伴って、挿通孔８１の内周面がドレイン電極４２，ソース電極４３の周りに密着する。これにより、ゲル状フェライトシート８が備える磁性（インダクタンス）により、上記マイクケーブル側からの高周波電流の侵入が阻止される。
【００３８】
なお、上記マイクケーブル側からの高周波電流の侵入をより効果的に阻止するうえで、回路基板５に高周波短絡用のコンデンサ素子を実装しておくことが好ましい。
【００３９】
また、ゲル状フェライトシート８は、圧縮に伴って径方向に広がってユニットケース２の内面に密着するため、ユニットケース２の後面側の開口部２２が気密的に封止され、音波の漏洩も防止できる。
【００４０】
また、ゲル状フェライトシート８は、上記従来例で用いられていたリング状ではなく、円盤状に形成されているため、かしめ等による固定時に内蔵部品にほぼ一様で安定した内部応力を加えることができる。
【００４１】
なお、ゲル状フェライトシート８には、磁性粉末としてフェライト粉末が混入されているが、例えば酸化クロムやコバルトなどの磁性体が用いられてもよく、磁性（インダクタンス）によって高周波電流を阻止することができればよい。
【００４２】
したがって、本発明には、ゲル状フェライトシート８の均等物として、ゲル状酸化クロムシートやゲル状コバルトシートも含まれる。
【００４３】
また、上記実施形態では、ユニットケース２内に内蔵部品（３，５）を固定するにあたって、その後端縁２２１をかしめているが、これとは別に、ユニットケース２の内面に雌ネジを形成し、その雌ネジに雄ネジを有するロックリングを螺合して内蔵部品（３，５）を固定するようにしてもよい。
【符号の説明】
【００４４】
１Ａ  コンデンサマイクロホンユニット
２  ユニットケース
２１  前部音響端子
２２  後面側の開口部
２２１  端縁
３  音響電気変換器
３１  振動板
３２  支持リング（ダイアフラムリング）
３３  固定極
３４  絶縁座
４  インピーダンス変換器（ＦＥＴ）
５  回路基板
８  ゲル状フェライトシート
８１  挿通孔
【図１】
2010288049.tif 000003
【図２】
2010288049.tif 000004
【図３】
2010288049.tif 000005
【図４】
2010288049.tif 000006